(57)【要約】【課題】    様々な形状の化粧用コンパクトと、様々な形状のファンデーションレフィルを固定できる、化粧コンパクト用アダプターを提供する。  コンパクト本体、およびアダプターの破損を防ぎ、着脱を容易にする為の、取り外し補助具を提供する。【解決手段】  アダプター本体（１）の外側に外形部（３）を設け、内側に内形部（４）を設け、必要に応じ中空部（２）を設けたことを特徴とする。    取り外し補助具本体（５）の片側に上面（６）を設け、上面（６）側に突起させた突起部（７）を設けたこと特徴とする。【選択図】図１
2015051247.tif 000002
【特許請求の範囲】
【請求項１】
アダプター本体（１）に中空部（２）を設け、アダプター本体（１）の外側に外形部（３）を設け、内側に内形部（４）を設けたことを特徴とする、化粧コンパクト用アダプター。
【請求項２】
請求項１の変形で、外形部（３）が直接内形部（４）につながり、中空部（２）を欠損した構造のアダプター本体（１）を特徴とする、化粧コンパクト用アダプター。
【請求項３】
取り外し補助具本体（５）の片側に上面（６）を設け、上面（６）側に突起させた突起部（７）を設けたことを特徴とする、化粧コンパクト用アダプター取り外し補助具。
【発明の詳細な説明】
【技術分野】
【０００１】  この発明は様々な大きさのファンデーションが収まる化粧用コンパクトと、各メーカーの様々な形状のファンデーションレフィルを固定する形状のアダプター、およびアダプターを取り外すための補助具で、化粧用コンパクトにファンデーションを固定するための化粧コンパクト用アダプター、および取り外し補助具に関するものである。
【背景技術】
【０００２】  従来、ファンデーションは、その多くがその外形専用のコンパクトに固定して使用するものであった。
また、コンパクト本体に茸形上の係止板や、ラッチ部材、ドア部材などを有し、ファンデーションレフィル自体、もしくはファンデーションレフィルを受容する別途用意されたトレイを固定する機能を持つものも使用可能であった。
【先行技術文献】
【特許文献】
【０００３】
【特許文献１】  特許公開平９−３７８３６
【特許文献２】  登録実用新案第３０１４５８６号
【発明の概要】
【発明が解決しようとする課題】
【０００４】  これは次のような欠点があった。
（イ）  従来、ファンデーションは各メーカー独自の形状をしており、それに応じた専用のコンパクトを購入する必要があった。
（ロ）  従来、ファンデーションが定期的に新商品に入れ替わるたびに、コンパクトも買い替える必要があった。
（ハ）  従来、形状の異なるファンデーションレフィルの交換を可能にするコンパクトの場合、コンパクトに微細で精密な部品を設置する構造ゆえ、生産時に多くの工程を必要とする。また、コンパクトの固定機能が破損した場合、コンパクトの外形に問題がなくても使用に困難をきたす。
本発明は、以上のような欠点をなくすためになされたものである。
【課題を解決するための手段】
【０００５】  様々な大きさのファンデーションレフィルが収まる化粧用コンパクトと、各メーカーの様々な形状のファンデーションレフィルを固定する形状のアダプターを設ける。
コンパクト及び、アダプターの形状の複雑性をなくし、より実用性の高い形状にする。
また、コンパクトからアダプターを取り外す際、その作業を容易にし、かつコンパクトおよびアダプターの破損を防ぎ、それらの使用期間を延ばすための補助具を設ける。
本発明は、以上の用途のための、化粧コンパクト用アダプターおよび取り外し補助具である。
【発明の効果】
【０００６】  使用するファンデーションレフィルの形状が様々に変化しても、アダプターのみ取り替えることにより、使用中のコンパクトをそのまま用いることが出来る。
様々な形状のファンデーションレフィルに応じたアダプターを使用することにより、化粧品メーカー専用のコンパクト以外の、好みのデザインのコンパクトを選んで使用することが出来る。
また、アダプター及びコンパクトの形状の簡素化と、アダプターのコンパクトへの固定法の単純化により、生産工程を短縮し、複数メーカーの多様な新製品ファンデーションレフィルを早急に使用可能にし、実用性を高める。
また、アダプターの固定法により、その取り外しの際、破損が生じるおそれや、使用上の困難が生じ得るおそれがある。しかし、取り外し補助具を設けることにより、コンパクト、及びアダプターの破損を防ぎ、またその着脱作業を簡便にする。
【図面の簡単な説明】
【０００７】
【図１】  本発明の斜視図である
【図２】  本発明の断面図である
【発明を実施するための形態】
以下、本発明を実施するための形態について説明する。
【０００８】  長方形状のアダプター本体（１）に中空部（２）を設け、アダプター本体（１）の外側に外形部（３）を設け、内側に内形部（４）を設ける。外形部（３）はコンパクトの内側にアダプター本体（１）を固定できる形状に形作る。内形部（４）は様々な形状のファンデーションレフィルの外形の形状に合わせて、各レフィルを固定できる形状に形作る。
なお、図１には中空部（２）に収まるファンデーションレフィルの形状に合わせ、アダプター全体の形状が長方形状に示されている。しかしアダプター本体（１）、および外形部（３）の形状はレフィルが円形等の場合、それに応じて形状を変化させたものや、コンパクトの意匠に応じたあらゆる形状のものも含む。
また、図２に示されているように、アダプター本体（１）は単一素材で形成し得るものだが、アダプター本体（１）が、製造・使用上の利便性、意匠の都合によって２種類以上の素材を用いたものであっても、全体構造として請求項１の構造を満たしていれば、それも含む。
【０００９】  さらに、上記の請求項１の構造に加え、それに準じた請求項３のような形状も可能である。図１にはアダプター本体（１）が全体として、ロの字の形状として示されている。しかしファンデーションレフィルの大きさによっては、レフィルの外形の一部をコンパクトに直接固定する方法もとれる。その場合アダプター全体の形状は、外形部（３）が直接内形部（４）につながることにより、アダプター本体（１）はＬ字型やコの字型、Ｉ字型のようになり、中空部（２）は欠損する構造となる。
【００１０】  平板状の取り外し補助具本体（５）の片側に上面（６）を設け、上面（６）側に突起した突起部（７）を設ける。
なお、図１には突起部（７）の形状が円柱形、また、その数が４個として示されている。しかし図２の点線に示されているように、別途用意されたコンパクト底部の透孔を通して外形部底面（３ａ）に接し、アダプター本体（１）を垂直に押し上げ得るものであれば、形状、設置数はいかなるものでもよい。
また図２に示した構造では、平面状の上面（６）と突起部（７）が接合されたものとして示されているが、請求項３の要件を満たした一体成型のものも含む。
さらに補助具本体（５）と突起部（７）の素材は同一の物でも、異素材の物でもよい。
また、堅牢性を高めるため、上面（６）の、その突起部（７）との接合部位を凹型に成形したものや、補助具本体（５）に透孔を設け、突起部（７）を本体底部より挿入する仕方で上面（６）側に突起させた構造のものも含む。その際補助具本体（１）を複層構造にし、突起部（７）を挿入後、補助具本体（１）の各層を接合し、全体として平板状に仕上げたものも含む。
以上のように構成された化粧コンパクト用アダプター、および取り外し補助具である。
【００１１】  本発明の使い方を説明する。
ファンデーション設置部に十分に余裕のある大きさのコンパクトを別途用意する。また、コンパクトは、その本体底部の、アダプター外形部底面（３ａ）との接面部位に、アダプター本体（１）を押し上げるための透孔を設けたものとする。
【００１２】  ファンデーションレフィル装着時は、アダプター外形部底面（３ａ）を、別途用意された粘着テープ等でコンパクトに固定し、アダプター中空部（２）にファンデーションレフィルを装着する。
【００１３】  同形のファンデーションレフィルに取り替えるときは、アダプター本体（１）は固定したままレフィルのみを交換する。また、異形のファンデーションレフィルを装着する際は、レフィルを取り外した後、取り外し補助具の突起部（７）をコンパクト底部の透孔に挿入した状態で補助具本体（５）とコンパクトを水平な場所に置き、コンパクトを垂直方向に押し下げることで、アダプター本体（１）を垂直方向に押し上げ離脱させる。その後異形のレフィルに合うアダプターを用いて前記の手順を繰り返す。
【符号の説明】
【００１４】  １    アダプター本体
２    中空部
３    外形部
３ａ  外形部底面
４    内形部
５    取り外し補助具本体
６    上面
７    突起部
【図１】
2015051247.tif 000003
【図２】
2015051247.tif 000004